(57)【特許請求の範囲】
【請求項１】
着信時、又はキー操作によって表示器に状態や設定内容が表示され、着信ランプにより着信を知らせる携帯電話機であって、着信及びキー操作が特定時間行われないと、前記表示器へ何も表示させなくし、前記表示器へ何も表示させなくした状態では、前記着信ランプを点灯させることで電源が投入されていることを知らせ、前記表示器に何も表示させなくした状態で着信があると、当該表示器に状態や設定内容を表示すると共に、前記着信ランプを点滅させることで着信を知らせ、前記着信ランプが点灯されている状態で、キー操作が行われて、前記表示器に状態や設定内容が表示されると、前記着信ランプを消すことを特徴とする携帯電話機。
【請求項２】
キーの部分を覆うフラップを有し、着信時、又はキー操作によって表示器に状態や設定内容が表示され、着信ランプにより着信を知らせる携帯電話機であって、フラップが開かれると表示器に状態や設定内容を表示し、フラップが開かれた状態で着信及びキー操作が特定時間行われないと、表示器へ何も表示させなくし、前記表示器へ何も表示させなくした状態では、前記着信ランプを点灯させることで電源が投入されていることを知らせ、前記表示器に何も表示させなくした状態で着信があると、当該表示器に状態や設定内容を表示すると共に、前記着信ランプを点滅させることで着信を知らせ、前記着信ランプが点灯されている状態で、キー操作が行われて、前記表示器に状態や設定内容が表示されると、前記着信ランプを消すことを特徴とする携帯電話機。
【発明の詳細な説明】
【０００１】
【発明の属する技術分野】
本発明は、表示器を有する携帯電話機に係り、特に特定条件下において表示器の電源をＯＮ／ＯＦＦできる携帯電話機に関する。
【０００２】
【従来の技術】
まず、移動体通信システムについて説明する。
現在、日本や世界では無線による移動体通信システムが、電気通信事業用・自営通信用としてさまざまな分野で利用されている。
【０００３】
日本国内では、電気通信事業用として携帯・自動車電話システム、パーソナル・ハンディーホンシステム（ＰＨＳ）、無線呼び出しシステム（ページャ）等があり、自営通信用として構内無線局（構内ページングや構内ＰＨＳ等）、パーソナル無線、アマチュア無線、公共業務用無線等がある。
【０００４】
国外では、米国におけるＡＭＰＳ方式及びＩＳ−９５等の自動車電話システムやＧｏｌａｙ方式やＰＯＣＳＡＧ方式無線呼び出しシステム、英国におけるＴＡＣＳ方式等の自動車電話システムやＰＯＣＳＡＧ方式無線呼び出しシステム、北欧４カ国（フィンランド、デンマーク、ノルウェー、スウェーデン）におけるＮＭＴ方式自動車電話システム、欧州におけるＧＳＭ方式の携帯電話システムといったものがある。
【０００５】
これらの移動体通信システムの携帯端末では、電池性能（体積・重量あたりの蓄積電力）の改善や回路の省電力化が進められており、連続使用時間（連続待ち受け時間・連続通話時間等）が年々長時間化されてきている。
【０００６】
携帯端末の省電力化の一つの方法として、着信及び通話状態以外で一定時間キー入力等の操作を行わないと液晶表示器のバックライトを消灯する機能がある。
【０００７】
ここで、携帯電話機の液晶表示器のバックライトの機能について説明する。
従来の携帯電話機は、携帯電話機の状態や設定内容等を表示するディスプレイ部（表示器）があり、その表示器は液晶表示器によるものが主流である。
そして、液晶表示器は、周囲が暗いと表示内容が確認できないため、周囲が暗い状況であっても表示内容が確認できるようにバックライトが設けられている。
【０００８】
一般的に、利用者がディスプレイ部の表示を見るのは、発信操作時及び電話番号記憶等の各種設定操作を行う場合であり、その他の場合は衣服のポケットやカバン等の中に入れておき、たまに電池残量や圏内／圏外の確認を行う程度で、利用時間内のほとんどの時間はディスプレイ部の表示を見ないと考えられる。
【０００９】
このため、従来の携帯電話機では、例えば着信及び通話状態以外で一定時間キー入力等の操作を行わないと、液晶表示器のバックライトを消灯して小電力化を図っている。
【００１０】
【発明が解決しようとする課題】
しかしながら、上記従来の携帯電話機では、一定時間キー入力等の操作を行わないと液晶表示器のバックライトを消灯する機能を持ち省電力化を行っているが、携帯電話機の状態や設定内容は表示器に常に表示されたままであり、そのための電力は消費されており、衣服のポケットやカバン等の中に入れてある状態においては表示している意味がなく、無意味な部分に電力が消費されているという問題点があった。
【００１１】
本発明は上記実情に鑑みて為されたもので、無意味な部分に電力が消費されているという問題点を解決し、必要時以外は表示器部分への電源供給を停止することにより、さらに消費電力を節約し、連続使用時間を長くできる携帯電話機を提供することを目的とする。
【００１２】
【課題を解決するための手段】
上記従来例の問題点を解決するための本発明は、着信時、又はキー操作によって表示器に状態や設定内容が表示され、着信ランプにより着信を知らせる携帯電話機であって、着信及びキー操作が特定時間行われないと、表示器へ何も表示させなくし、表示器へ何も表示させなくした状態では、着信ランプを点灯させることで電源が投入されていることを知らせ、表示器に何も表示させなくした状態で着信があると、当該表示器に状態や設定内容を表示すると共に、着信ランプを点滅させることで着信を知らせ、着信ランプが点灯されている状態で、キー操作が行われて、表示器に状態や設定内容が表示されると、着信ランプを消すことを特徴としており、着信又はキー操作を表示が必要な条件と判断して表示器に状態や設定内容が表示され、着信及びキー操作が特定時間行われないと、表示が不要な条件と判断して表示器へ何も表示させなくし、表示が停止していても着信ランプの点灯で本体電源の投入状況が認識でき、更に着信ランプの点滅で着信を認識できる。
【００１３】
上記従来例の問題点を解決するための本発明は、キーの部分を覆うフラップを有し、着信時、又はキー操作によって表示器に状態や設定内容が表示され、着信ランプにより着信を知らせる携帯電話機であって、フラップが開かれると表示器に状態や設定内容を表示し、フラップが開かれた状態で着信及びキー操作が特定時間行われないと、表示器へ何も表示させなくし、表示器へ何も表示させなくした状態では、着信ランプを点灯させることで電源が投入されていることを知らせ、表示器に何も表示させなくした状態で着信があると、当該表示器に状態や設定内容を表示すると共に、着信ランプを点滅させることで着信を知らせ、着信ランプが点灯されている状態で、キー操作が行われて、表示器に状態や設定内容が表示されると、着信ランプを消すことを特徴としており、フラップを開く操作を表示が必要な条件と判断して表示器に状態や設定内容を表示し、着信及びキー操作が特定時間行われないと、表示が不要な条件と判断して表示器へ何も表示させなくし、表示が停止していても着信ランプの点灯で本体電源の投入状況が認識でき、更に着信ランプの点滅で着信を認識できる。
【００１５】
【発明の実施の形態】
請求項に係る発明について、その実施の形態について図面を参照しながら説明する。
本発明に係る携帯電話機は、任意のキー入力又はフラップ（蓋）を開ける操作または着信によって、表示器への電源供給を開始し、特定時間キー入力が為されない場合又はフラップを閉じる操作によって表示器への電源供給を停止するので、消費電力を節約でき、連続使用時間を長くできるものである。
【００１６】
まず、本発明に係る携帯電話機の構成について、フラップ付きの携帯電話機の例で図１を使って説明する。図１は、本発明に係るフラップ付きの携帯電話機の構成ブロック図である。
本発明の携帯電話機は、図１に示すように、従来からある携帯電話機と同様の構成部分であるアンテナ１と、スピーカ２と、マイク３と、通信回路部４と、キーボード７と、表示器８と、電源部１０と、更に本発明の特徴部分として、電源スイッチ制御部５ａを有する制御部５と、センサ６と、電源スイッチ９とが設けられている。
【００１７】
次に、本発明の携帯電話機の各部について具体的に説明する。
アンテナ１は、電波を受信および送信するものである。
スピーカ２は、通話の相手の音声を出力するものである
マイク３は、使用者の音声を入力するものである。
【００１８】
通信回路部４は、携帯電話機として基本的な通話音声の送受信を行う部分で、マイク３から入力された音声をアナログデータからデジタルデータに変換して送受信信号処理部に出力し、逆に送受信信号処理部から入力された音声のデジタルデータをアナログデータに変換してスピーカ２に出力する音声信号処理部と、発着信制御信号又は送受信音声信号を処理する送受信信号処理部と、無線信号の送受および変復調を行う送受信回路部と、制御部５からの制御信号に従って送受信回路部と音声信号処理部と送受信信号処理部の電源制御、及び送受信信号処理部と制御部５との信号の授受を行う送受信制御部から構成されている。
尚、通信回路部４が、着信を認識すると、制御部５に着信信号を出力するようになっている。
【００１９】
キーボード７は、携帯電話機に必要な一般的なキー情報が入力されるもので、具体的には、入力操作が行われると、入力されたキー情報を制御部５に伝えるようになっている。
表示器８は、携帯電話機における一般的な情報を表示するもので、具体的には、制御部５から出力される表示信号に従って、携帯電話機の状態や設定内容等を表示するようになっている。
【００２０】
電源部１０は、通信回路部４と制御部５に電力を供給すると共に、本発明の特徴部分として、後述する電源スイッチ９を介して表示器８に対して他の部分とは独立したラインで電力を供給するものである。
【００２１】
電源スイッチ９は、電源部１０から表示器８への電力の供給を開始／停止（ＯＮ／ＯＦＦ）するためのスイッチであり、電源スイッチ９のＯＮ／ＯＦＦは、制御部５の電源スイッチ制御部５ａによって制御される。尚、制御の詳細は後述する。
【００２２】
センサ６は、フラップ（ふた）の開閉状態を認識して制御部５の電源スイッチ制御部５ａに出力するものである。
【００２３】
ここで本発明の携帯電話機のセンサについて図２を使って具体的に説明する。図２は、本発明の携帯電話機のセンサの説明図である。
本発明の携帯電話機では、例えば図２に示すように、本体側にセンサ６を設け、フラップ側に突起を設けている。
そしてフラップが開いている時は、突起がセンサ６に触れておらず、センサ６はフラップが閉状態であることを制御部５に出力し、フラップが閉じると、突起がセンサ６に触れてセンサ６はフラップが開状態であることを制御部５に出力するようになっている。
【００２４】
制御部５は、携帯電話機における一般的な発着信制御、通話、各種設定を行うためのＣＰＵ、ＲＯＭ、ＲＡＭ、表示器制御等の各種ドライバ等の他に、本発明の特徴部分として、電源スイッチ９のON/OFF制御を行う電源スイッチ制御部５ａが設けられている。
【００２５】
具体的に電源スイッチ制御部５ａは、キー操作が為されない連続時間をカウントするためのタイマを有し、センサ６から出力されているフラップの開閉状態と、キーボード７からの任意のキー入力と、通信回路部４からの着信信号とを受け取って、その状態に従って、電源スイッチ９のＯＮ／ＯＦＦを制御するようになっている。
【００２６】
次に、本発明の携帯電話機の制御部５の電源スイッチ制御部５ａにおける電源スイッチ制御処理の流れについて、図３を使って説明する。図３は、本発明の携帯電話機の制御部の電源スイッチ制御部における電源スイッチ制御処理の流れを示すフローチャート図である。
【００２７】
本発明の携帯電話機の制御部５の電源スイッチ制御部５ａにおける電源スイッチ制御処理は、キーボード７の電源キーが押下されて本体電源が投入されると起動され、まず電源スイッチ９をＯＮにして、電源部１０から表示器８への電力供給を開始して（１００）、タイマをリセットする（１０２）。
【００２８】
そして、タイマが予め定められた特定時間を経過したか判断し（１０４）、特定時間経過した場合（Ｙｅｓ）は、処理１０６に進み、特定時間経過していない場合（Ｎｏ）は、センサ６からの出力でフラップが閉状態であるか判断を行い（１０５）、フラップが開状態の場合（Ｎｏ）は、処理１０８へ進み、フラップが閉状態の場合（Ｙｅｓ）は、電源スイッチ９をＯＦＦにして、表示器８から電源部１０への電力供給を停止する（１０６）。
【００２９】
そして、センサ６からの出力でフラップが閉状態から開状態に切り替わったか判断を行い（１０８）、フラップが開状態に切り替わらない場合（Ｎｏ）は、キーボード７が押下されたか判断を行い（１１０）、押下されない場合（Ｎｏ）は、着信信号を入力したか判断を行い（１１２）、着信信号を入力しない場合（Ｎｏ）は、処理１０４に戻る。
【００３０】
一方、処理１０８において、フラップが閉状態から開状態に切り替わった場合（Ｙｅｓ）、又は処理１１０において、キーボード７が押下された場合（Ｙｅｓ）、又は処理１１２において、着信信号を入力した場合（Ｙｅｓ）は、電源スイッチ９をＯＮにして、電源部１０から表示器８への電力供給を開始し（１１４）、タイマをリセットして（１１６）、処理１０４に戻る。
【００３１】
尚、処理１０８において、フラップが閉状態から開状態に切り替わったかどうかの判断は、判断の都度開閉状態を記憶するようにして、記憶された状態との変化を判断するようにすればよい。
また、処理１１０におけるキーボード７からのキー入力の判断は、単一キーの入力で判断してもよいし、誤動作を防止するために複数キーの入力とすることも考えられる。
【００３２】
ところで、通常携帯電話機の利用者は、表示器８の表示の有無を見て本体電源のＯＮ／ＯＦＦを判断していたので、本発明の携帯電話機では、外見から本体電源のＯＮ／ＯＦＦの状態が認識できない。
そこで、本発明の携帯電話機に、従来から具備している着信ランプの状態によって本体電源のＯＮ／ＯＦＦを確認できる機能を追加するようにしてもよい。
【００３３】
例えば、従来の携帯電話機では、通常着信ランプは消灯しており、着信時のみ点滅するようになっているが、本発明の携帯電話機では、本体電源が投入されている場合には着信ランプを点灯されている状態とし、着信があると着信ランプを点滅させるようにする。
この場合、着信ランプの点灯／点滅制御は、電源スイッチ９の制御とは関連しないので、制御部５における電源スイッチ制御部５ａとは別の部分で行う。
【００３４】
但し、この着信ランプの状態により本体電源のＯＮ／ＯＦＦを確認できる機能をつける場合、ＬＥＤ点灯のための消費電力が必要となる。
一般的な携帯電話機に使用されているＬＥＤ及び液晶表示器のサイズから考えると、ＬＥＤの方が液晶表示器より消費電力が少ないため、当該機能を付加した本発明の携帯電話機は、従来の表示器を表示したままの携帯電話機よりは連続使用時間を長くできるが、当該機能を付加しない携帯電話機よりは連続使用時間は短くなることが考えられる。
【００３５】
そこで、例えば表示器８への電源供給が行われている時には、表示器８の表示で本体電源のＯＮが認識できるので、着信ランプを消すようにすれば、消費電力は節約することができ、着信ランプをつけたままにするよりは連続使用時間を長くできる。
その場合は、着信ランプの点灯／点滅制御を電源スイッチ９のON/OFF制御と関連させて電源スイッチ制御部５ａで行うようになっている。
【００３６】
次に、本発明の携帯電話機における動作について、図１、図４を使って説明する。図４は、本発明の携帯電話機の動作の様子を示す説明図である。
本発明の携帯電話機では、本体電源が投入されると、制御部５の電源スイッチ制御部５ａの動作によって、電源スイッチ９がＯＮにされて、電源部１０の電力が表示器８に供給され、表示器８に携帯電話機の状態や設定内容等の表示が為される。
【００３７】
その後、図４（ａ）のようにフラップが閉じられると、センサ６がフラップの閉状態を出力し、電源スイッチ制御部５ａの動作によって、電源スイッチ９がＯＦＦにされ、電源部１０から表示器８への電力供給が停止されて、表示器８には何も表示されなくなる。
【００３８】
また、たとえフラップが閉じられなくとも、特定時間キーボード７からの入力が行われないと、スイッチ制御処理部５ａの動作によって、電源スイッチ９がＯＦＦにされ、電源部１０から表示器８への電力供給が停止されて、表示器８には何も表示されなくなる。
つまり、フラップを開いた状態で通話中であっても、キーボード７が押下されないまま特定時間経過すると電源スイッチ９がＯＦＦされるようになっている。
【００３９】
そして、図４（ｂ）のようにフラップが開かれると、センサ６がフラップの開状態を出力し、電源スイッチ制御部５ａの動作によって、電源スイッチ９がＯＮにされ、電源部１０の電力が表示器８に供給されて、表示器８に携帯電話機の状態や設定内容等が表示される。
【００４０】
また、キーボード７の任意のキーが押下されたり、携帯電話機が呼出を受信し、通信回路部４から着信信号が入力されると、電源スイッチ制御部５ａの動作によって、電源スイッチ９がＯＮにされ、電源部１０の電力が表示器８に供給されて、表示器８に携帯電話機の状態や設定内容が表示される。
【００４１】
尚、着信ランプで本体電源の状態を示す機能が付いていれば、図４（ａ）及び（ｂ）の状態において、着信ランプが点灯しており、表示器の表示に関わらず本体電源ＯＮを認識できる。
【００４２】
これまで、フラップ付きの携帯電話機で本発明を説明してきたが、フラップ無しの携帯電話機の場合の構成は、図１の構成図において、センサ６が省かれた構成である。
【００４３】
また、電源スイッチ制御部５ａの処理の流れは、図３のフローチャート図において、処理１０５が省かれて、処理１０４において特定時間が経過した場合（Ｙｅｓ）に処理１０６を行い、特定時間が経過していない場合（Ｎｏ）に、処理１０８に進むようになっている。
【００４４】
次に、本発明のフラップ無しの携帯電話機における動作について、図５を使って説明する。図５は、本発明のフラップ無しの携帯電話機の動作の様子を示す説明図である。
本発明のフラップ無しの携帯電話機では、フラップ有りと同様に本体電源が投入されると、制御部５の電源スイッチ制御部５ａの動作によって、電源スイッチ９がＯＮにされて、電源部１０の電力が表示器８に供給され、表示器８に携帯電話機の状態や設定内容等の表示が為される。
【００４５】
その後、特定時間キーボード７からの入力が行われないと、電源スイッチ制御部５ａの動作によって、電源スイッチ９がＯＦＦにされ、電源部１０から表示器８への電力供給が停止されて、図５（ａ）のように表示器８には何も表示されなくなる。
【００４６】
そして、図５（ｂ）のように、キーボード７の任意のキーが押下されたり、又は携帯電話機が呼出を受信して、通信回路部４から着信信号が入力されると、電源スイッチ制御部５ａの動作によって、電源スイッチ９がＯＮにされ、電源部１０の電力が表示器８に供給されて、表示器８に携帯電話機の状態や設定内容等が表示される。
【００４７】
尚、フラップ有りと同様に、着信ランプで本体電源の状態を示す機能が付いていれば、図５（ａ）及び（ｂ）の状態において、着信ランプが点灯しており、表示器の表示に関わらず本体電源ＯＮを認識できる。
【００４８】
また、本発明の技術は、無線呼出受信機（ページャ）にも適用可能であり、本発明の無線呼出無線機における動作について、図６を使って説明する。図６は、本発明の無線呼出受信機の動作の様子を示す説明図である。
本発明の無線呼出受信機では、通常は、電源スイッチ９がＯＦＦにされて電源部１０の電力が表示器８に供給されず表示器８には何も表示していない。
【００４９】
そして、無線呼出受信機が呼出を受信し、通信回路部４から着信信号が入力されると、電源スイッチ制御部５ａの動作によって、電源スイッチ９がＯＮにされ、電源部１０の電力が表示器８に供給されて、表示器８に受信内容（メッセージ）が表示される。
【００５０】
そして、表示器８に受信内容が表示された後に特定時間が経過すると、電源スイッチ制御部５ａの動作によって、電源スイッチ９がＯＦＦにされ、電源部１０の電力が表示器８に供給されなくなり、表示器８には何も表示されなくなる。
【００５１】
尚、携帯電話機と同様に、着信ランプで本体電源の状態を示す機能が付いていれば、図６（ａ）及び（ｂ）の状態において、着信ランプが点灯しており、表示器の表示に関わらず本体電源ＯＮを認識できる。
【００５２】
本発明の構成及び作用を実施例の図面を参照しながら説明した。実施例の説明においては、携帯電話機を中心に説明したが、本発明はこれに限定されるものではなく、無線システムの携帯端末でディスプレイ部を持つものに広く適用可能である。
【００５３】
本発明の携帯電話機によれば、フラップが閉じられてセンサ６が閉状態を出力するか、又は、フラップが開状態であっても、キーボード７が押下されずに特定時間経過すると、電源スイッチ制御部５ａの動作によって、電源スイッチ９がＯＦＦにされ、電源部１０の電力が表示器８に供給されなくなり、表示器８の表示を停止するので、ポケット、鞄などでの携帯時や通話途中など、表示器８を見る必要のない時間帯には表示器８への電力供給を停止して、消費電力を節約し、携帯電話機の連続使用時間を長くすることができる効果がある。
【００５４】
そして、フラップが開かれてセンサ６がフラップの開状態を出力した時、又はキーボード７の任意のキーが押下された時、又は呼出の受信によって通信回路部４から着信信号が入力された時に、電源スイッチ制御部５ａの動作によって、電源スイッチ９がＯＮにされ、電源部１０の電力が表示器８に供給され表示器８に表示が為されるので、表示器８を見て各種情報を確認する必要のある時には、表示器８へ電力を供給して、有効に電力を消費できる効果がある。
【００５５】
また、本体電源が投入されている間は着信ランプを点灯するので、表示器８に表示が為されていなくとも、本体電源のON/OFFが認識できる効果がある。
【００５６】
【発明の効果】
本発明によれば、着信時、又はキー操作によって表示器に状態や設定内容が表示され、着信ランプにより着信を知らせる携帯電話機であって、着信及びキー操作が特定時間行われないと、表示器へ何も表示させなくし、表示器へ何も表示させなくした状態では、着信ランプを点灯させることで電源が投入されていることを知らせ、表示器に何も表示させなくした状態で着信があると、当該表示器に状態や設定内容を表示すると共に、着信ランプを点滅させることで着信を知らせ、着信ランプが点灯されている状態で、キー操作が行われて、表示器に状態や設定内容が表示されると、着信ランプを消す携帯電話機としているので、表示が必要な条件下で表示器に状態や設定内容が表示され、表示が不要な条件下で表示器へ何も表示させなくすることによって、消費電力を節約し、連続使用時間を長くでき、表示が停止していても着信ランプの点灯で本体電源の投入状況が認識でき、更に着信ランプの点滅で着信を認識でき、使い勝手を向上でき、また、消費電力を節約し、連続使用時間を長くできる効果がある。
【００５７】
本発明によれば、キーの部分を覆うフラップを有し、着信時、又はキー操作によって表示器に状態や設定内容が表示され、着信ランプにより着信を知らせる携帯電話機であって、フラップが開かれると表示器に状態や設定内容を表示し、フラップが開かれた状態で着信及びキー操作が特定時間行われないと、表示器へ何も表示させなくし、表示器へ何も表示させなくした状態では、着信ランプを点灯させることで電源が投入されていることを知らせ、表示器に何も表示させなくした状態で着信があると、当該表示器に状態や設定内容を表示すると共に、着信ランプを点滅させることで着信を知らせ、着信ランプが点灯されている状態で、キー操作が行われて、表示器に状態や設定内容が表示されると、着信ランプを消す携帯電話機としているので、表示が必要な条件下で表示器に状態や設定内容が表示され、表示が不要な条件下で表示器へ何も表示させなくすることによって、消費電力を節約し、連続使用時間を長くでき、表示が停止していても着信ランプの点灯で本体電源の投入状況が認識でき、更に着信ランプの点滅で着信を認識でき、使い勝手を向上でき、また、消費電力を節約し、連続使用時間を長くできる効果がある。
【図面の簡単な説明】
【図１】本発明に係るフラップ付き携帯電話機の構成ブロック図である。
【図２】本発明の携帯電話機のセンサの説明図である。
【図３】本発明の携帯電話機の制御部の電源スイッチ制御部における電源スイッチ制御処理の流れを示すフローチャート図である。
【図４】本発明の携帯電話機の動作の様子を示す説明図である。
【図５】本発明のフラップ無しの携帯電話機の動作の様子を示す説明図である。
【図６】本発明の無線呼出受信機の動作の様子を示す説明図である。
【符号の説明】
１…アンテナ、  ２…スピーカ、  ３…マイク、  ４…通信回路部、  ５…制御部、  ５ａ…電源スイッチ制御部、  ６…センサ、  ７…キーボード、  ８…表示器、  ９…電源スイッチ、  １０…電源部
【図１】
0004138917.tif 000002
【図２】
0004138917.tif 000003
【図３】
0004138917.tif 000004
【図４】
0004138917.tif 000005
【図５】
0004138917.tif 000006
【図６】
0004138917.tif 000007